(57)【要約】【課題】着脱可能且つ印刷装置と無線通信可能な操作装置を用いて行う印刷装置に対する操作性を高めることができる操作装置及び印刷装置を提供する。【解決手段】印刷装置の一例である複合機１１は、その一部を構成し装置本体１２に着脱可能な操作装置の一例である操作ディスプレイ３０を備える。操作ディスプレイ３０は、ユーザーから操作を受ける表示部１４と、情報端末１００に接続された場合に、ユーザーによる情報端末１００に対する操作であって複合機１１に設定または指示を与えるための操作を可能にするとともに情報端末１００から設定または指示を受信する第１通信部３１を備える。また、操作ディスプレイ３０は、複合機１１に装着されておらず、且つ第１通信部３１を介して情報端末１００と接続されている場合、通信Ｉ／Ｆ３１が受信した設定または指示を複合機１１に転送する第２通信部の一例である無線通信部３２とを備える。【選択図】図５
2019116067.tif 000002
【特許請求の範囲】
【請求項１】
印刷装置の一部を構成し前記印刷装置の装置本体に着脱可能な操作装置であって、
ユーザーから操作を受ける表示部と、
情報端末と接続可能であり、前記情報端末に接続された場合に、ユーザーによる前記情報端末に対する操作であって前記印刷装置に設定または指示を与えるための当該操作を可能にするとともに前記情報端末から前記設定または指示を受信する第１通信部と、
前記操作装置が前記印刷装置に装着されておらず、且つ前記第１通信部を介して前記操作装置と前記情報端末とが接続されている場合、前記第１通信部が前記情報端末から受信した前記設定または前記指示を前記印刷装置に転送する第２通信部と、
を備えることを特徴とする操作装置。
【請求項２】
前記情報端末の表示部に前記印刷装置に対する設定または指示を与えるための操作画面を表示させる制御部を更に備えたことを特徴とする請求項１に記載の操作装置。
【請求項３】
前記情報端末の前記表示部における前記操作画面の表示サイズは、前記操作装置の前記表示部に表示される操作画面よりも大きいことを特徴とする請求項２に記載の操作装置。
【請求項４】
前記制御部は、前記情報端末の前記表示部に表示された前記操作画面で行われた前記設定または前記指示を前記情報端末から前記第１通信部を介して受信し、当該設定または当該指示を前記第２通信部を介して前記印刷装置へ転送することを特徴とする請求項２又は請求項３に記載の操作装置。
【請求項５】
前記制御部は、前記第１通信部を介して前記情報端末にプログラムをインストールさせて前記情報端末内に当該プログラムに基づく表示制御部を生成し、前記表示制御部に対して前記情報端末の前記表示部に前記操作画面を表示させる表示制御を行うことを特徴とする請求項２〜請求項４のいずれか一項に記載の操作装置。
【請求項６】
前記制御部は、前記情報端末に対する前記設定または前記指示を与えるための操作に応じて前記表示制御部に対して前記操作画面の表示内容を変更させる表示制御を行うことを特徴とする請求項５に記載の操作装置。
【請求項７】
前記表示制御部は、ユーザーによる前記情報端末に対する操作で指定された画像データを取得し、
前記制御部は、前記情報端末の前記表示部に表示された前記操作画面で行われた前記設定または前記指示を前記画像データと共に前記情報端末から前記第１通信部を介して受信し、前記第２通信部を介して前記印刷装置へ転送し、前記印刷装置に前記画像データに基づく画像を印刷させることを特徴とする請求項５又は請求項６に記載の操作装置。
【請求項８】
前記第１通信部は接続端子を含み、前記情報端末と前記接続端子とは通信ケーブルを介して接続可能であることを特徴とする請求項１〜請求項７のいずれか一項に記載の操作装置。
【請求項９】
前記第１通信部は無線通信部を含み、前記情報端末と無線通信により接続可能であることを特徴とする請求項８に記載の操作装置。
【請求項１０】
請求項１〜請求項９のいずれか一項に記載の操作装置と、
前記操作装置を着脱可能な被装着部を有する装置本体と、
を備えたことを特徴とする印刷装置。
【発明の詳細な説明】
【技術分野】
【０００１】
本発明は、印刷装置の装置本体に着脱可能且つ印刷装置と無線通信可能な操作装置及び印刷装置に関する。
【背景技術】
【０００２】
近年、操作パネルを装置本体から着脱可能にし、装置本体の設置場所とは異なる場所で操作パネルを使用して各種の設定を行ったり装置本体を遠隔操作したりすることのできる装置がある。
【０００３】
例えば、特許文献１には、装置本体に設けられた操作キーと、装置本体から着脱可能な表示ユニットとを備え、操作キーと表示ユニットの双方から操作入力可能なファクシミリ装置が開示されている。この装置では、表示ユニットが装置本体に装着されているか否かによって、装置本体側の操作キーと表示ユニットそれぞれの有効／無効を切り替えている。
【０００４】
また、特許文献２では、着脱可能な操作パネルを印刷装置に適用し、且つ操作パネルを外している場合においても印刷装置本体で一部の機能を操作可能にしている。
近年、印刷装置の装置本体の小型化に伴い、装置本体に着脱可能な操作装置の一例としての操作ディスプレイの小型化も要求されており、特にコンシューマー向けの印刷装置においては様々な設置場所に対応する観点から、装置本体の小型化が顕著である。
【先行技術文献】
【特許文献】
【０００５】
【特許文献１】特開２００３−３４５５００号公報
【特許文献２】特開２０１３−１８０４８０号公報
【発明の概要】
【発明が解決しようとする課題】
【０００６】
しかし、着脱可能な操作ディスプレイの小型化が進むと、印刷装置の装置本体に装着されているか装着されていないかに関わらず、表示文字や表示図形の認識が難しくなる。また、操作ディスプレイの小型化が進むと、１画面当たりの選択項目数が少なくなり、画面のスクロールまたは切替えが多くなるか、タッチパネルの操作ボタンが小さくなるかし、印刷装置に設定または指示を与える操作の操作性が低下するという課題がある。
【０００７】
本発明の目的は、着脱可能且つ印刷装置と無線通信可能な操作装置を用いて行う印刷装置に対する操作性を高めることができる操作装置及び印刷装置を提供することにある。
【課題を解決するための手段】
【０００８】
以下、上記課題を解決するための手段及びその作用効果について記載する。
上記課題を解決する操作装置は、印刷装置の一部を構成し前記印刷装置の装置本体に着脱可能な操作装置であって、ユーザーから操作を受ける表示部と、情報端末と接続可能であり、前記情報端末に接続された場合に、ユーザーによる前記情報端末に対する操作であって前記印刷装置に設定または指示を与えるための当該操作を可能にするとともに前記情報端末から前記設定または前記指示を受信する第１通信部と、前記操作装置が前記印刷装置に装着されておらず、且つ前記第１通信部を介して前記操作装置と前記情報端末とが接続されている場合、前記第１通信部が前記情報端末から受信した前記設定または前記指示を前記印刷装置に転送する第２通信部と、を備える。
【０００９】
この構成によれば、操作装置が第１通信部を介して情報端末に接続された場合、ユーザーは印刷装置に設定または指示を与えるため操作を情報端末に対して行うことが可能になる。操作装置は、ユーザーによる情報端末の操作に基づく設定または指示を、第１通信部を介して情報端末から受信する。また、操作装置が印刷装置に装着されておらず、且つ第１通信部を介して操作装置と情報端末とが接続されている場合、情報端末から第１通信部を介して受信した設定または指示が第２通信部により印刷装置に転送される。よって、着脱可能且つ印刷装置と無線通信可能な操作装置と情報端末とを接続可能とし、情報端末上で印刷装置の操作が可能になる。したがって、操作装置を用いて行う印刷装置に対する設定または指示を与える操作の操作性を高めることができる。
【００１０】
上記操作装置は、前記情報端末の表示部に前記印刷装置に対する設定または指示を与えるための操作画面を表示させる制御部を更に備えることが好ましい。
この構成によれば、ユーザーは情報端末の表示部に表示された操作画面を見ながら、情報端末に対して印刷装置に設定または指示を与えるための操作を行うことができる。よって、ユーザーは印刷装置に適切な設定または指示を与えることができる。
【００１１】
上記操作装置において、前記情報端末の前記表示部における前記操作画面の表示サイズは、前記操作装置の前記表示部に表示される操作画面よりも大きいことが好ましい。
この構成によれば、ユーザーは情報端末の表示部で、操作装置の表示部に表示される操作画面よりも大きな表示サイズで操作画面を見て、設定または指示を与えるための操作を行うことができる。よって、ユーザーは印刷装置に対してより適切な設定または指示を与えることができる。
【００１２】
上記操作装置において、前記制御部は、前記情報端末の前記表示部に表示された前記操作画面で行われた前記設定または前記指示を前記情報端末から前記第１通信部を介して受信し、当該設定または当該指示を前記第２通信部を介して前記印刷装置へ転送することが好ましい。
【００１３】
この構成によれば、制御部は、操作画面で行われた設定または指示を情報端末から第１通信部を介して受信し、第２通信部を介してその設定または指示を印刷装置へ転送する。よって、ユーザーが情報端末を操作して行われる設定または指示を印刷装置に与え、印刷装置に印刷等の所定の処理を行わせることができる。
【００１４】
上記操作装置において、前記制御部は、前記第１通信部を介して前記情報端末にプログラムをインストールさせて前記情報端末内に当該プログラムに基づく表示制御部を生成し、前記表示制御部に対して前記情報端末の前記表示部に前記操作画面を表示させる表示制御を行うことが好ましい。
【００１５】
この構成によれば、制御部から第１通信部を介して情報端末にプログラムがインストールされ、情報端末内に表示制御部が生成される。制御部は表示制御部に対して情報端末の表示部に操作画面を表示させる表示制御を行う。ユーザーは情報端末に印刷ドライバーをインストールしなくても、情報端末の表示部に操作画面を表示させることができる。
【００１６】
上記操作装置において、前記制御部は、前記情報端末に対する前記設定または前記指示を与えるための操作に応じて前記表示制御部に対して前記操作画面の表示内容を変更させる表示制御を行うことが好ましい。
【００１７】
この構成によれば、ユーザーによる情報端末に対する設定または指示を与える操作に応じて情報端末の表示部に表示された操作画面の表示内容が変更される。よって、ユーザーは情報端末の表示部に表示された操作画面を見て、設定または指示の操作が適切に行われたかどうかを操作画面の表示内容から確認できる。
【００１８】
上記操作装置において、前記表示制御部は、ユーザーによる前記情報端末に対する操作で指定された画像データを取得し、前記制御部は、前記情報端末の前記表示部に表示された前記操作画面で行われた前記設定または前記指示を前記画像データと共に前記情報端末から前記第１通信部を介して受信し、前記第２通信部を介して前記印刷装置へ転送し、前記印刷装置に前記画像データに基づく画像を印刷させることが好ましい。
【００１９】
この構成によれば、ユーザーは情報端末を操作して指定した画像データに基づく画像を印刷装置に印刷させることができる。
上記操作装置において、前記第１通信部は接続端子を含み、前記情報端末と前記接続端子とは通信ケーブルを介して接続可能であることが好ましい。
【００２０】
この構成によれば、操作装置を情報端末に対して通信ケーブルを介して接続できるので、操作装置を情報端末に接続した際に、情報端末のプラグアンドプレイの機能で操作装置が認識され自動または半自動でインストール等の所定の処理が進められる。よって、操作装置を情報端末に接続した際にユーザーが面倒な操作を強いられることがない。
【００２１】
上記操作装置において、前記第１通信部は無線通信部を含み、前記情報端末と無線通信により接続可能であることが好ましい。
この構成によれば、操作装置の接続端子と接続可能な接続端子を備えていない情報端末に対しても、操作装置は第１通信部を介して無線通信が可能なので、接続端子を接続できない情報端末に対しても設定または指示を与える操作を行うことができる。
【００２２】
上記課題を解決する印刷装置は、上記操作装置と、前記操作装置を着脱可能な被装着部を有する装置本体とを備える。この構成によれば、操作装置を装置本体の被装着部から外して情報端末に接続することにより、上記操作装置と同様の作用効果を得ることができる。
【図面の簡単な説明】
【００２３】
【図１】一実施形態における複合機を示す斜視図。
【図２】操作ディスプレイを外した状態の複合機を示す斜視図。
【図３】操作ディスプレイを示す斜視図。
【図４】操作ディスプレイを裏面側から見た斜視図。
【図５】印刷システムを示す斜視図。
【図６】印刷システムの電気的構成を示すブロック図。
【図７】印刷システムの機能構成を示すブロック図。
【図８】印刷システムの処理手順を示すシーケンス図。
【図９】コピー設定画面を示す模式図。
【図１０】印刷設定画面を示す模式図。
【図１１】保存用画面および画像一覧画面を示す模式図。
【図１２】印刷プレビュー画面を示す模式図。
【図１３】ネットワーク設定画面を示す模式図。
【図１４】撮影モードにある操作ディスプレイを示す平面図。
【図１５】画像加工用画面を示す模式図。
【図１６】変更例における設定画面を示す模式図。
【発明を実施するための形態】
【００２４】
以下、操作装置を備えた印刷装置の一実施形態を、図面を参照して説明する。図１に示すように、印刷装置の一例としての複合機１１は、略直方体形状を有する装置本体１２を備える。装置本体１２は前面に操作パネル１３を備える。操作パネル１３は、タッチパネル式の表示部１４と、複数の操作スイッチからなる操作部１５とを備える。タッチパネル式の表示部１４は、画面を指でタッチして項目等の選択や確定などの設定および複合機１１に対する印刷等の指示のための入力操作が可能である。表示部１４は、液晶パネル又は有機ＥＬパネル等により構成される。なお、操作パネル１３は、ユーザーが視認し易い角度に回動可能であってもよい。
【００２５】
図１に示すように、装置本体１２の前面における操作パネル１３の下側の位置には、用紙等の媒体Ｍを複数枚収容可能な給送カセット１６が着脱可能（挿抜可能）に装着されている。給送カセット１６に収容された複数枚の媒体Ｍは不図示の給送ローラー（例えばピックアップローラー）により一枚ずつ送り出される。その送り出された媒体Ｍは、媒体搬送用の搬送ローラーおよび搬送ベルトのうち少なくとも一方を備える搬送機構（図示略）により所定の搬送経路に沿って搬送方向Ｙに搬送される。図１に示すように、装置本体１２内の幅方向Ｘにおける一方の端部には、前述の給送ローラーの動力源となる給送モーター１７および搬送機構の動力源となる搬送モーター１８が配設されている。
【００２６】
また、装置本体１２内には、印刷ヘッド２０が架設されている。印刷ヘッド２０は、所定の搬送速度で搬送方向Ｙに搬送される媒体Ｍに対しインク滴を間欠的に吐出し、媒体Ｍに画像や文書を印刷する。印刷済みの媒体Ｍは、装置本体１２の前部に開閉可能に設けられたカバー２１の開状態で露出する排出口（図示略）から、搬送方向Ｙへ排出され、例えば操作パネル１３の下側からカバー２１を開けて出退可能な図示しないスライド式のスタッカー（排紙トレイ）上に積載される。なお、複合機１１の印刷方式は、印刷ヘッド２０が媒体Ｍの幅方向Ｘの全域に一斉にインク滴を吐出して印刷するライン印刷方式に限定されず、印刷ヘッド２０を保持するキャリッジ（図示略）が幅方向Ｘに往復移動しながら媒体Ｍにインク滴を吐出して印刷するシリアル印刷方式でもよい。
【００２７】
本実施形態の複合機１１は、充電式で装置本体１２にバッテリー１９を内蔵する。また、複合機１１の装置本体１２内には、コントローラー２２が設けられている。コントローラー２２は、表示部１４の表示制御、ユーザーが表示部１４の画面をタッチ操作することにより受け付けた指示に基づくスキャン制御および印刷制御、各種の通信制御などを行う。なお、本実施形態の複合機１１は、充電式に限定されず、複合機１１を使用する際に外部電源を用いる構造でもよい。
【００２８】
表示部１４には、メニュー画面が表示される。ユーザーがメニュー画面で所望の項目を選択操作することで、表示部１４にその項目の設定画面が表示される。ユーザーは表示部１４の設定画面で、所望の項目の選択肢の中から所望の１つを選択する操作をすることで、複合機１１に対して、スキャン、コピー、印刷を指示する際の条件を設定する。そして、条件の設定を終えると、ユーザーは設定画面の操作で複合機１１に指示を与えることが可能である。
【００２９】
本実施形態では、操作パネル１３のうち表示部１４を含む一部の部分が、操作パネル１３の基部１３Ａに対して着脱可能な操作装置の一例としての操作ディスプレイ３０となっている。つまり、操作ディスプレイ３０は、複合機１１の一部を構成し装置本体１２に対して着脱可能となっている。なお、装置本体１２には基部１３Ａが含まれる。
【００３０】
ユーザーは、図２に示すように、操作パネル１３から取り外した操作ディスプレイ３０を、複合機１１から離れた位置から操作して、複合機１１に対してコピー、スキャン、印刷を指示する際の条件の設定およびその指示を無線通信で与えることが可能である。装置本体１２には、この無線通信を行うための無線通信部２６が備えられている。なお、操作部１５には、複合機１１の電源をオン・オフする際に操作される電源スイッチ１５Ａの他、複合機１１から操作ディスプレイ３０が取り外されているときでも、複合機１１に最低限の指示を与えることが可能な操作スイッチ１５Ｂが含まれる。操作スイッチ１５Ｂは、例えば、スキャン、コピー、印刷の実行や中止（キャンセル）を指示する機能を有する。
【００３１】
操作パネル１３の基部１３Ａには、操作ディスプレイ３０を装着するための凹部よりなる被装着部１３Ｂが設けられている。被装着部１３Ｂの内壁面には、装置本体１２側のコントローラー２２等と操作ディスプレイ３０とを電気的に接続するための電極端子２３と、操作ディスプレイ３０を充電するための充電用の給電端子２４とが設けられている。コントローラー２２は、操作ディスプレイ３０が装置本体１２の被装着部１３Ｂに装着されているときは、電極端子２３を介してユーザーが表示部１４の画面をタッチした際の操作信号の入力および表示部１４の表示制御を行う。また、コントローラー２２は、操作ディスプレイ３０が装置本体１２の被装着部１３Ｂから外されているときは、無線通信部２６による無線通信で、ユーザーが表示部１４の画面をタッチした際の操作信号の入力および表示部１４の表示制御を行う。
【００３２】
次に、図３、図４を参照して、操作ディスプレイ３０の構成について説明する。図３に示すように、操作ディスプレイ３０は、四角板状の本体３０Ａと、本体３０Ａの略中央部に配置された前述の表示部１４と、第１通信部の一例としての通信インターフェイス３１（以下、単に「通信Ｉ／Ｆ３１」と記す。）と、第２通信部の一例としての無線通信部３２とを有している。通信Ｉ／Ｆ３１は、情報端末１００の接続端子１０６Ａ（図５参照）と接続可能な接続端子３１Ａを有している。通信Ｉ／Ｆ３１は、例えばＵＳＢ通信インターフェイスである。通信Ｉ／Ｆ３１は、情報端末１００の多くが備える通信インターフェイスと同種（同一の通信規格）のものが採用されている。通信Ｉ／Ｆ３１は、ＵＳＢ通信インターフェイス以外のその他の公知の通信インターフェイスでもよい。また、無線通信部３２は、複合機１１の無線通信部２６と無線で通信が可能である。また、本体３０Ａには、表示灯３３とスピーカー３４とが設けられている。
【００３３】
また、図４に示すように、操作ディスプレイ３０は、その表示部１４と反対側となる裏面に、電極端子３５とバッテリー充電用の受電端子３６とを有する。また、操作ディスプレイ３０は、本体３０Ａにバッテリー３７を内蔵している。そして、操作ディスプレイ３０が複合機１１の操作パネル１３の被装着部１３Ｂに装着された状態では、電極端子２３，３５が電気的に接続されるとともに、給電端子２４と受電端子３６とが電気的に接続される。この状態では、給電端子２４と受電端子３６とが電気的に接続され、複合機１１のバッテリー１９からの直流、又は複合機１１が商用交流電源と接続されているときはＡＣ／ＤＣ変換器を備えた電源装置（いずれも図示略）から出力された直流により、操作ディスプレイ３０のバッテリー３７が充電される。
【００３４】
また、図４に示すように、操作ディスプレイ３０は、メモリーカード３８Ｍを挿着可能なスロット３８Ａを有するカードリーダーライター３８を有している。また、操作ディスプレイ３０は、撮影が可能なカメラ３９を有している。なお、操作ディスプレイ３０の裏面には、接続端子３１Ａを本体３０Ａに対して出退させるためのスライド式の操作部３０Ｂが設けられている。
【００３５】
次に、図５を参照して、操作ディスプレイ３０の使い方を説明する。図５に示すように、複合機１１から取り外しされた操作ディスプレイ３０が情報端末１００に接続されることにより、複合機１１、操作ディスプレイ３０および情報端末１００により、印刷システム１０が構成される。図５では、情報端末１００としてパーソナルコンピューター（ＰＣ）の例を示しているが、例えば、スマートフォン、携帯情報端末（ＰＤＡ（Personal Digital Assistants））などの携帯端末でもよい。また、ＰＣとしては、ノート型ＰＣに限らず、デスクトップ型ＰＣやタブレットＰＣ等でもよい。
【００３６】
情報端末１００は、本体１０１と表示部１０２と入力装置１０３とを備える。表示部１０２は、本体１０１と電気的に接続されている。入力装置１０３は、本体１０１に設けられたキーボード１０４と、本体１０１に接続されたマウス１０５とにより構成される。また、情報端末１００は、操作ディスプレイ３０の通信Ｉ／Ｆ３１と同じ通信規格の通信インターフェイス１０６（以下、「通信Ｉ／Ｆ１０６」と記す。）（図６参照）を備え、通信Ｉ／Ｆ３１の接続端子３１Ａと接続可能な接続端子１０６Ａを有している。
【００３７】
複合機１１は、比較的小型な表示画面を有する表示部１４に、メニュー画面や各種の項目の選択肢の中から所望の１つを選択するための選択画面などの設定画面Ｇ１を表示する。そのため、表示部１４に表示される設定画面Ｇ１は、表示文字やアイコン等の表示図形が小さく視認しにくい場合がある。また、設定画面Ｇ１は、１画面当たりの選択項目数が少なく画面のスクロールや切替えが多く必要であるか、あるいはタッチパネルの操作ボタンが小さいなどその操作性が比較的低い場合もある。特に複合機１１に不慣れなユーザーにとっては、小さな画面と操作性の観点から使いづらい可能性がある。そこで、本実施形態では、複合機１１の装置本体１２から取り外した操作ディスプレイ３０を情報端末１００に接続することで、複合機１１に対して設定および指示を与えるための設定画面Ｇ２を表示部１０２に表示させることが可能である。このとき、操作ディスプレイ３０に表示されるべき設定画面Ｇ１を拡大した表示サイズで表示部１０２に設定画面Ｇ２を表示することが可能である。図５の例では、情報端末１００の表示部１０２には、操作ディスプレイ３０の表示部１４に表示されるべきメニュー画面ＭＧ１が所定の倍率で拡大された表示サイズでメニュー画面ＭＧ２が表示される。図５に示す例では、操作ディスプレイ３０の接続端子３１Ａと情報端末１００の接続端子１０６Ａとを通信ケーブル７０を介して有線で接続されている。なお、操作ディスプレイ３０の接続端子３１Ａと情報端末１００の接続端子１０６Ａとを直接接続することも可能である。
【００３８】
ここで、操作ディスプレイ３０の接続端子３１Ａが、情報端末１００の接続端子１０６Ａに接続されると、情報端末１００は、プラグアンドプレイの機能により接続先と通信して相手側を認識し、認識した相手（操作ディスプレイ３０）が接続を許可されていれば通信を確立する。そして、情報端末１００は、操作ディスプレイ３０からのプログラムのインストール等を含むアクセスを許可する。情報端末１００は、プラグアンドプレイにより操作ディスプレイ３０からのアクセスにより情報端末１００の表示部１０２に、操作ディスプレイ３０の表示部１４に表示されるべき設定画面Ｇ１を拡大した表示サイズの設定画面Ｇ２を表示することが可能である。
【００３９】
すなわち、操作ディスプレイ３０が複合機１１に装着されているときは、表示部１４には、設定画面Ｇ１の一例として図５に二点鎖線で示されたメニュー画面ＭＧ１が表示される。情報端末１００の表示部１０２の画面サイズは、操作ディスプレイ３０の表示部１４の画面サイズよりも大きい。このため、表示部１４に表示されるべきメニュー画面ＭＧ１が拡大されたメニュー画面ＭＧ２が表示部１０２に表示される。ユーザーは、設定画面Ｇ２において表示部１４に表示される設定画面Ｇ１のものよりも、大きな文字サイズおよびアイコン等を見て、設定操作を適切に行って複合機１１に適切な指示を与えることができる。メニュー画面ＭＧ２には、コピーＫ１、印刷Ｋ２、スキャンＫ３およびネットワークＫ４を含む複数の項目が表示される。なお、本実施形態では、操作ディスプレイ３０を情報端末１００に接続した状態では、表示部１４に図５に二点鎖線で示す設定画面Ｇ１は表示されない。
【００４０】
次に、図６を参照して印刷システム１０の電気的構成について説明する。なお、図６では、印刷システム１０を実現する電気的構成を示し、図７は、印刷システム１０のソフトウェアを含む機能構成を示す。図６、図７に示すように、複合機１１は、コントローラー２２を構成する回路基板（図示略）に実装されたＣＰＵ２５、無線通信部２６、メモリー２７およびスキャンエンジン２８および印刷エンジン２９を備える。そして、ＣＰＵ２５、無線通信部２６、メモリー２７は、複合機１１内でバスを介して接続されている。無線通信部２６は、操作ディスプレイ３０と無線通信をするためのものである。メモリー２７には、少なくとも複合機１１を機能させる制御用プログラムＰＲ０と、操作ディスプレイ３０が情報端末１００にインストールさせる第１プログラムＰＲ１が記憶されている。
【００４１】
操作ディスプレイ３０は、ＣＰＵ４１、情報端末１００と有線で通信するための通信Ｉ／Ｆ３１、複合機１１と無線で通信するための無線通信部３２、無線通信部４２、表示制御回路４３、表示部１４、メモリー４４、バッテリー３７、カードリーダーライター３８、カメラ３９、表示灯３３およびスピーカー３４を備える。操作ディスプレイ３０のメモリー４４には、情報端末１００に起動させるために与える前述の第１プログラムＰＲ１の他に、操作ディスプレイ３０の機能を実現するための第２プログラムＰＲ２が記憶されている。
【００４２】
また、情報端末１００は、ＣＰＵ１１１、操作ディスプレイ３０と通信可能に接続される通信Ｉ／Ｆ１０６、無線通信部１０７、表示制御回路１１２、メモリーおよびハードディスクにより構成される記憶部１１３および入力インターフェイス１１４を備える。さらに情報端末１００は、入力インターフェイス１１４に接続されたキーボード１０４およびマウス１０５等の入力装置１０３を備える。
【００４３】
操作ディスプレイ３０が初めて情報端末１００に接続されるときは、情報端末１００のＵＳＢホストが操作ディスプレイ３０をＵＳＢデバイスとして初めて認識する。このとき、情報端末１００のＣＰＵ１１１は、プラグアンドプレイの機能で、許可されたデバイスであるか否かを判断し、許可されたデバイスであれば、操作ディスプレイ３０からの第１プログラムＰＲ１のインストールを許可する。第１プログラムＰＲ１が操作ディスプレイ３０のメモリー４４に記憶されておらず、複合機１１のメモリー２７に記憶されている場合、操作ディスプレイ３０のＣＰＵ４１は、無線通信部３２，２６間の無線通信により、複合機１１から第１プログラムＰＲ１を取得してメモリー４４に一時記憶する。そして、操作ディスプレイ３０のＣＰＵ４１は、第１プログラムＰＲ１を、通信Ｉ／Ｆ３１，１０６を介して情報端末１００に送信する。情報端末１００は、操作ディスプレイ３０から第１プログラムＰＲ１をインストールする。
【００４４】
次に、図７を参照して、印刷システム１０の機能構成を説明する。複合機１１では、ＣＰＵが制御用プログラムＰＲ０を実行することにより、第１制御部５１が生成され起動する。第１制御部５１は、操作ディスプレイ３０が複合機１１に装着されているときは、ユーザーが表示部１４の設定画面Ｇ１で操作して確定した設定情報および指示信号を、電極端子２３，３５を介して入力する。第１制御部５１は、設定情報に基づいてスキャンエンジン２８および印刷エンジン２９のうち指示信号に応じた少なくとも一方を駆動させ、指示された処理を行わせる。一方、第１制御部５１は、操作ディスプレイ３０が外されていることを検出すると、無線通信部２６を有効にし、操作ディスプレイ３０と無線通信部２６，３２を介した無線通信を行う。
【００４５】
また、図６に示す操作ディスプレイ３０のＣＰＵ４１が第２プログラムＰＲ２を実行することにより、図７に示すように、操作ディスプレイ３０内に制御部の一例としての第２制御部５２が生成され起動する。操作ディスプレイ３０が装置本体１２に装着されているときは、第２制御部５２は、電極端子２３，３５を介して第１制御部５１と通信する。操作ディスプレイ３０が複合機１１から外されているときは、図７に示すように、第２制御部５２は、無線通信部３２，２６を介して第１制御部５１と通信する。
【００４６】
また、図６に示す情報端末１００のＣＰＵ１１１が、記憶部１１３に記憶された第３プログラムＰＲ３を実行することにより、図７に示すように、情報端末１００内には、ホスト制御部５３およびアクセス権制御部５４が生成され起動する。アクセス権制御部５４は、例えば第３プログラムＰＲ３中のオペレーティングシステム（ＯＳ）を実行するＣＰＵ１１１により生成され起動する。
【００４７】
また、情報端末１００のＣＰＵ１１１は、操作ディスプレイ３０の接続を検出すると、操作ディスプレイ３０と通信して認証を行う。操作ディスプレイ３０は情報端末１００により認証されると、情報端末１００へのアクセスが許可される。操作ディスプレイ３０から情報端末１００へ第１プログラムＰＲ１が送信され、情報端末１００にインストールされる。そして、情報端末１００のＣＰＵ１１１がインストールした第１プログラムＰＲ１を実行することにより、図７に示すように、情報端末１００内に表示制御部１２０が生成され起動する。表示制御部１２０は、アクセス権制御部５４により、表示部１０２に対するアクセス権をホスト制御部５３から取得する。表示制御部１２０がアクセス権を取得することで、情報端末１００内の表示制御回路１１２は、一時的に表示部１０２に対するアクセス権を失う。表示制御部１２０は一種の印刷ドライバーとして機能し、設定画面の表示、スキャン、印刷、コピーの指示の受付け、印刷対象の画像データの複合機１１への転送などを一時的に行う。なお、図７では、操作ディスプレイ３０を情報端末１００に接続したときに、操作ディスプレイ３０内の第２制御部５２が情報端末１００内の表示制御部１２０を介して表示部１０２を表示制御するうえで有効となる信号経路を太線で示している。
【００４８】
次に、操作ディスプレイ３０を備えた複合機１１の作用について説明する。近年、パーソナルコンピューター、タブレットＰＣ、スマートフォンといった情報端末１００と、複合機を含む印刷装置の装置本体とをＷｉ−Ｆｉ（登録商標）等を利用した無線通信を行い、情報端末１００上で印刷装置の操作を可能としている機種もある。印刷装置の装置本体と無線通信を行うには情報端末１００への印刷ドライバー等の専用ソフトウェアやアプリケーションのインストールを伴い、ユーザーにとって設定が煩雑なものとなっている。また、普段、印刷装置を使用していないゲストが無線通信印刷を行うには前述した前準備が必要となるため、無線通信印刷に対するハードルは一層高いものとなっている。そこで、本実施形態の操作ディスプレイ３０は、情報端末１００に接続することで、ユーザーが専用ソフトウェア等のインストールを含む面倒な設定操作等をしなくても、複合機１１に設定および指示を与える操作を情報端末１００の表示部１０２に表示された設定画面Ｇ２を見ながら比較的容易に行うことが可能である。
【００４９】
ユーザーは、複合機１１の装置本体１２から操作ディスプレイ３０を外し、操作ディスプレイ３０を操作して無線通信による遠隔操作で複合機１１に指示を与えることができる。また、操作ディスプレイ３０を情報端末１００に接続すると、操作ディスプレイ３０の表示部１４に表示されるべき設定画面Ｇ１と同じ表示内容が拡大された設定画面Ｇ２を、情報端末１００の表示部１０２に表示させることができる。操作ディスプレイ３０の表示部１４に比べ、情報端末１００の表示部１０２は画面が大きい。そのため、ユーザーは、表示部１０２に大きな表示サイズで設定画面Ｇ２を表示させることができる。
【００５０】
以下、図５〜図８等を参照して、操作ディスプレイ３０を情報端末１００に初めて接続したときを例とし、情報端末１００から操作ディスプレイ３０を介して複合機１１に設定および指示を与える手順について説明する。なお、印刷システム１０が構成される場合、情報端末１００が、複合機１１に対して所定の指示を出す一種のホスト装置として機能する。
【００５１】
まず、複合機１１から操作ディスプレイ３０を外し、その本体３０Ａから通信Ｉ／Ｆ３１の接続端子３１Ａを突出させ、その接続端子３１Ａを、通信ケーブル７０を通じて情報端末１００の通信Ｉ／Ｆ１０６の接続端子１０６Ａに接続する。すると、情報端末１００内では、ホスト制御部５３が操作ディスプレイ３０の接続を検出すると、ホスト制御部５３を構成するＵＳＢホストが、操作ディスプレイ３０をＵＳＢデバイスとして認識し、操作ディスプレイ３０に対して認証を行う。操作ディスプレイ３０内の第２制御部５２は情報端末１００から要求に対して応答し、認証が成功すれば、情報端末１００と操作ディスプレイ３０との通信が確立される。また、認証が成功すると、操作ディスプレイ３０から情報端末１００への第１プログラムＰＲ１のインストールが許可される。操作ディスプレイ３０の第２制御部５２は、第１プログラムＰＲ１を情報端末１００へ送信する。
【００５２】
情報端末１００は操作ディスプレイ３０から第１プログラムＰＲ１をインストールする。図６に示す情報端末１００のＣＰＵ１１１が、インストールした第１プログラムＰＲ１を実行すると、図７に示す情報端末１００内に表示制御部１２０が生成され、これが起動する。表示制御部１２０は、図７に示すアクセス権制御部５４により、表示部１０２に対するアクセス権を取得する。表示制御部１２０は、操作ディスプレイ３０内の第２制御部５２から表示制御信号による指示を受けて情報端末１００の表示部１０２に設定画面Ｇ２を表示させる。
【００５３】
図５に示すように、操作ディスプレイ３０が情報端末１００に接続された状態では、情報端末１００の表示部１０２に、複合機１１に対して条件設定および指示を与えるための設定画面Ｇ２が表示される。図５に示す例では、メニュー画面ＭＧ２が表示される。本実施形態では、操作ディスプレイ３０内の第２制御部５２が、その制御対象を表示部１４から表示部１０２へ切り替える。その結果、操作ディスプレイ３０と情報端末１００との接続によって、操作ディスプレイ３０の表示部１４は無効となり、情報端末１００の表示部１０２が有効となる。
【００５４】
その後、ユーザーは、情報端末１００の表示部１０２に表示された設定画面Ｇ２に対して、入力装置１０３を操作して複合機１１に対する設定および指示を行う。表示制御部１２０は、入力装置１０３から入力インターフェイス１１４を介して入力した操作信号に基づく内容を表示部１０２に表示された表示内容に反映させる。この表示制御は、表示制御部１２０が、操作ディスプレイ３０の第２制御部５２との通信を介したやりとりにより行う。すなわち、図８に示すように、表示制御部１２０の起動後、ユーザーが入力装置１０３を操作すると、その操作信号を受け付けた表示制御部１２０は、その操作信号を操作ディスプレイ３０に送る。このとき、表示制御部１２０は、入力装置１０３からの操作信号をそのまま送信してもよいし、操作ディスプレイ３０側で判別可能な信号に変換した操作信号を送信してもよい。
【００５５】
操作ディスプレイ３０は、操作信号に応じた表示内容の表示データをメモリー４４から読み出し、その読み出した表示データを含む表示制御信号を情報端末１００に送信する。情報端末１００では、表示制御部１２０が、表示制御信号の指示に従って表示データに基づき表示部１０２を制御し、設定画面Ｇ２に変更を反映させる表示処理を行う。こうして情報端末１００内の表示制御部１２０は、ユーザーが入力装置１０３を操作する度に受け付けた操作信号を操作ディスプレイ３０へ送る。そして、表示制御部１２０は、操作ディスプレイ３０の第２制御部５２からその操作信号に応じた表示内容を表わす表示データを含む表示制御信号を受け取ると、その表示制御信号に従って表示データの内容を表示部１０２の設定画面Ｇ２に反映させる。
【００５６】
例えば、ユーザーが図５に示す情報端末１００のメニュー画面ＭＧ２で、コピーＫ１を選択すると、図９に示すようにコピー設定画面ＣＧが表示される。図９の例では、カラー／モノクロを選択する選択項目Ｃ１、コピー濃度を選択するスケール部Ｃ２等が表示され、矢印ボタンＣ３を操作してコピー設定画面ＣＧを上下にスクロールさせ、必要な項目に設定をしたり設定内容を確認したりする。ユーザーは、コピー条件の設定が終わると、入力装置１０３を操作してスタートボタンＣ４を操作する。
【００５７】
また、ユーザーが図５に示すように情報端末１００の表示部１０２に表示されたメニュー画面ＭＧ２で、印刷を選択すると、図１０に示すように、印刷設定画面ＰＧが表示される。図１０の例では、用紙サイズを選択する選択項目Ｐ１、用紙種類を選択する選択項目Ｐ２、給紙方法を選択する選択項目Ｐ３等が表示され、矢印ボタンＰ４を操作して設定画面を上下にスクロールさせ、必要な項目に設定をしたり設定内容を確認したりする。ユーザーは印刷条件の設定が終わると、入力装置１０３を操作して必要に応じてチェックボックスＰ５でプレビューを選択したのちスタートボタンＰ６を操作する。
【００５８】
また、本実施形態では、操作ディスプレイ３０を情報端末１００に接続した状態において、情報端末１００に記憶されたデータを、操作ディスプレイ３０のメモリーカード３８Ｍに保存することができる。そして、操作ディスプレイ３０を複合機１１に装着した後、表示部１４の設定画面Ｇ１上でメモリーカード３８Ｍに保存されたデータを指定して複合機１１で印刷することができる。
【００５９】
例えば、情報端末１００の表示部１０２に表示された図５に示すメニュー画面ＭＧ２で、印刷Ｋ２の項目を選択した後、印刷対象の保存を指定する操作を行うと、図１１に示す保存用画面ＳＧが表示される。保存用画面ＳＧには、ユーザーが参照先のアドレスを指定するための参照指定欄１３１と、所望のデータを保存するための保存エリア１３２と、保存先を指定する保存先指定ボタン１３３が設けられている。保存用画面ＳＧで、ユーザーが参照指定欄１３１で指定した参照先のアドレスを基に図１１に示す画像一覧画面ＩＧを表示させる。保存エリア１３２は、ユーザーがマウス１０５を用いたドラッグアンドドロップ操作で、印刷を希望する画像データを入れるエリアである。この保存エリア１３２には、メモリーカード３８Ｍに保存する画像データと、印刷対象とする画像データとが格納される。
【００６０】
画像データをメモリーカード３８Ｍに保存する場合、ユーザーはマウス１０５を用いて保存先指定ボタン１３３を操作すると起動するサブ画面（図示略）でメモリーカード３８Ｍを指定したうえで、画像一覧画面ＩＧから所望の画像データを、マウス１０５を用いてドラッグアンドドロップ操作で保存エリア１３２に入れる。また、デフォルトでは印刷用の保存先が指定されているので、印刷対象の画像データは、そのまま保存エリア１３２にドラッグアンドドロップ操作をする。表示制御部１２０は、ユーザーがマウス１０５を用いて画像データをドラッグアンドドロップ操作したときに、その操作に基づきマウス１０５から書込操作信号を受信する。
【００６１】
図８に示すように、表示制御部１２０は、書込指示信号を受付けると、保存エリア１３２に入れられた画像データを保存先情報と共に通信Ｉ／Ｆ１０６，３１を介して操作ディスプレイ３０に送信する。操作ディスプレイ３０の第２制御部５２は、受信した画像データを保存先情報で指定された記録領域に保存する。すなわち、指定の保存先が印刷用記憶領域である場合、受信した画像データをメモリー４４に保存する。一方、指定の保存先がメモリーカード３８Ｍである場合、受信した画像データをメモリーカード３８Ｍに書き込む。
【００６２】
そして、ユーザーは、印刷する場合、設定条件が確定済みであれば、図１１に示す印刷ボタン１３６を操作する。また、設定条件が未確定であれば、設定確認ボタン１３５を操作して、図１０に示す印刷設定画面ＰＧで必要に応じて印刷条件を設定して確定した後、スタートボタンＰ６を操作する。このとき、印刷プレビューを希望する場合、印刷プレビューのチェックボックスＰ５，１３４をチェックしたうえで印刷を指示する操作を行う。
【００６３】
図８に示すように、表示制御部１２０は、入力装置１０３によるスタートボタンＰ６または印刷ボタン１３６の操作に基づく指示信号を受け付けると、例えば印刷などの指定の処理を指示する指示信号を操作ディスプレイ３０に送信する。操作ディスプレイ３０の第２制御部５２は、指示信号を受け付けると、条件情報と共に指示信号を複合機１１へ無線通信で送信する。ここでは、印刷の例であるので、第２制御部５２は、印刷条件情報と共に印刷指示信号を無線通信で複合機１１へ送信する。
【００６４】
印刷プレビューが指定されている場合、図８に示すように、その指定情報も指示信号と共に複合機１１へ送信される。複合機１１の第１制御部５１は、印刷対象の画像データおよび印刷条件情報を基にプレビュー画像を生成する。複合機１１の第１制御部５１は、プレビュー画像のデータを、無線通信部２６，３２を介して操作ディスプレイ３０に無線通信で送信する。さらに操作ディスプレイ３０の第２制御部５２は、プレビュー画像のデータを通信Ｉ／Ｆ３１，１０６を介して情報端末１００の表示制御部１２０へ送信する。情報端末１００の表示制御部１２０は、プレビュー画像のデータを受け取ると、表示部１０２に印刷プレビュー画像ＰＲＧを表示させる表示処理を行う。この結果、図１２に示すように、情報端末１００の表示部１０２には、印刷プレビュー画面１４０が表示される。ユーザーは、印刷プレビュー画像ＰＲＧを確認した後、それで良ければ、印刷ボタン１４１を操作する。
【００６５】
図８に示すように、表示制御部１２０は、この操作に基づく指示信号を受け付けると、操作ディスプレイ３０に指示信号を送り、この指示信号を受信した第２制御部５２は、複合機１１に対して無線通信で指示信号を送信する。複合機１１の第１制御部５１は、指示信号を受信すると、指示された印刷を開始する。すなわち、第１制御部５１は、先に受信した画像データに基づき印刷条件情報に従って印刷画像データを生成し、その印刷画像データに基づいて印刷エンジン２９を駆動制御することで、媒体Ｍに画像を印刷する。
【００６６】
なお、指定処理がコピーである場合、第２制御部５２は、コピー条件情報と共にコピー指示信号を送信する。また、指定処理がスキャンである場合、第２制御部５２は、スキャン条件情報と共にスキャン指示信号を送信する。これらの場合、印刷プレビュー画像ＰＲＧの生成と表示が不要であるため、複合機１１の第１制御部５１は、最初の指示信号に基づいてコピーまたはスキャンを実行する。例えばコピーが指示された場合、第１制御部５１は、スキャンエンジン２８および印刷エンジン２９を駆動させて媒体Ｍにコピーをする。また、スキャンが指示された場合、第１制御部５１は、スキャンエンジン２８を駆動させて原稿をスキャンする。
【００６７】
また、ユーザーは情報端末１００からメモリーカード３８Ｍに保存した画像データを、後から印刷することが可能である。例えばユーザーはメモリーカード３８Ｍへの画像データの保存を終えると、操作ディスプレイ３０を情報端末１００から外して、複合機１１に装着する。この状態では、操作ディスプレイ３０の表示部１４に表示される設定画面Ｇ１で保存した画像を指定して印刷を指示することが可能である。すなわち、ユーザーが表示部１４に表示された設定画面Ｇ１でタッチ操作を行ってメモリーカード３８Ｍ中の所望の画像データを選択した後、スタートボタンを操作する。すると、第２制御部５２は、メモリーカード３８Ｍから画像データを読み出し、その画像データを指定された印刷条件情報に従って処理して印刷画像データを生成し、その印刷画像データに従って印刷エンジン２９を駆動させてその画像データに基づく画像を媒体Ｍに印刷させる。
【００６８】
そして、ユーザーは複合機１１が印刷などの所定の処理を終えると、操作ディスプレイ３０を情報端末１００から外す。このとき、情報端末１００の表示制御部１２０は、操作ディスプレイ３０との接続の切断を検出すると、アクセス権を情報端末１００のＯＳに返し、起動状態を終了する。なお、インストールされた第１プログラムＰＲ１は情報端末１００に残され、次回以降、再び操作ディスプレイ３０の接続を検出すると、情報端末１００のＣＰＵ１１１は第１プログラムＰＲ１を実行して表示制御部１２０を起動させる。
【００６９】
また、操作ディスプレイ３０の接続端子３１Ａを接続できない情報端末１００である場合、操作ディスプレイ３０と情報端末１００とを無線通信で接続する。すなわち、操作ディスプレイ３０は、情報端末１００に対して無線通信部４２，１０７間の通信を確立する。操作ディスプレイ３０を情報端末１００に対して初めて無線通信で接続する場合、ユーザーは操作ディスプレイ３０の表示部１４に表示されたメニュー画面ＭＧ１の中からネットワークＫ４を選択する（図５を参照）。すると、表示部１４に、図１３に示すネットワーク設定画面ＮＷＧが表示される。ユーザーは、ネットワーク設定画面ＮＷＧで、アクセスポイントボタン１６１を操作してアクセスポイントに接続するか、またはダイレクト接続ボタン１６２を操作して情報端末１００に接続する。このとき、無線通信接続に関する操作に不慣れなユーザーは、説明ボタン１６３を操作すれば、図示しない説明画面が表示されるので、その説明画面で示された設定手順に従えば比較的簡単に無線通信接続を行うことができる。無線通信は、例えばＷｉ−Ｆｉ（登録商標）等の無線ＬＡＮである。無線通信接続後は、前述の通信Ｉ／Ｆ３１，１０６間の有線通信の場合と同様に、図８に示す手順で処理が行われる。
【００７０】
さらに、操作ディスプレイのカメラ３９で撮影した写真画像のデータをメモリーカード３８Ｍに保存することができる。図１４に示すように、ユーザーが操作ディスプレイ３０のメニュー画面ＭＧ１でカメラ（図示略）を選択して撮影モードとし、シャッターボタン６１を操作して写真を撮影する。すると、第２制御部５２は、その写真の画像データをメモリーカード３８Ｍに保存する。ユーザーは、操作ディスプレイ３０を複合機１１に装着し、表示部１４の画面で写真を選択して複合機１１に印刷させることができる。
【００７１】
また、ユーザーは、操作ディスプレイ３０を情報端末１００に接続し、情報端末１００の表示部１０２の画面で写真を選択し、その写真の画像データを情報端末１００の記憶部１１３に保存したり、その写真の画像データを情報端末１００から操作ディスプレイ３０を介して複合機１１に送信して複合機１１にその写真を印刷させたりすることができる。
【００７２】
すなわち、ユーザーは、情報端末１００の表示部１０２に表示させた図１１に示す保存用画面ＳＧで参照先に操作ディスプレイのメモリーカード３８Ｍを指定し、メモリーカード３８Ｍに保存されている写真を画像一覧画面ＩＧに表示させる。ユーザーは画像一覧画面ＩＧ中の所望の写真の画像データを、マウス１０５を用いたドラッグアンドドロップ操作で保存エリア１３２に移動させる。
【００７３】
また、ユーザーは、写真の画像に加工を施したいときは、メニュー画面ＭＧ２から図１５に示す画像加工用画面１５０を表示部１０２に表示させる。画像加工用画面１５０には、トリミングを含む複数の画像加工を指定可能な選択ボタン１５１、読込ボタン１５２、保存ボタン１５３及び印刷ボタン１５４が設けられている。ユーザーは読込ボタン１５２を操作することで、図１１に示す保存用画面ＳＧを表示部１０２に表示させることができる。前述の手順で所望の画像データを操作ディスプレイ３０から情報端末１００側へ取得する。図１５に示すように、読み込まれた画像データに基づく写真ＰＨは、図１５に示す表示領域１５５に表示される。図１５は、ユーザーが画像加工の１つとしてトリミングを選択ボタン１５１の操作で選択したときの例であり、表示領域１５５の写真ＰＨにトリミング枠ＴＦが重畳表示される。ユーザーは、マウス１０５を操作してトリミング枠ＴＦの位置およびサイズを調整することで写真ＰＨをトリミングする。ユーザーは、保存ボタン１５３を操作して画像加工後の画像データを、保存先を指定して例えば操作ディスプレイ３０のメモリーカード３８Ｍまたは記憶部１１３に保存することができる。
【００７４】
また、画像加工後の写真ＰＨの画像を複合機１１に印刷させたい場合、ユーザーは、必要に応じて設定確認ボタン１３５で設定内容を確認した後、印刷ボタン１３６またはスタートボタンＰ６を操作する。表示制御部１２０は、その操作信号を受け付けると、図８に示す印刷の際の処理手順に従って、その写真の画像データおよび条件情報を付けて指示信号を複合機１１へ送信する。複合機１１の第１制御部５１は、指示信号を受信すると、印刷プレビューの選択時は印刷プレビュー画像を生成し、その印刷プレビュー画像のデータを、第２制御部５２を介して表示制御部１２０へ送信する。表示制御部１２０は、受信したデータに基づき表示部１０２に印刷プレビュー画面１４０（図１２参照）を表示する。ユーザーが印刷ボタン１４１を操作すると、表示制御部１２０はその操作に基づく指示信号を、第２制御部５２を介して複合機１１へ送信する。指示信号を受信した複合機１１の第１制御部５１は、印刷エンジン２９を駆動させて画像データに基づく写真を媒体Ｍに印刷する。このように操作ディスプレイ３０のカメラ３９で撮影した写真を、操作ディスプレイ３０の操作で複合機１１に印刷させることができ、必要に応じて操作ディスプレイ３０を情報端末１００に接続して画像を加工してから複合機１１に印刷させることができる。よって、カメラやスマートフォンで撮影した写真を複合機１１に印刷させる場合に必要となるデータ転送の手間を削減できる。
【００７５】
また、操作ディスプレイ３０は複合機１１に対して着脱可能であるため、取り外した際に置き忘れや紛失の心配がある。そのため、第２制御部５２は、バッテリー３７の残量が閾値未満に減少すると、表示灯３３を点灯または点滅させたり、スピーカー３４から警告音を発生させたりする。このため、ユーザーが操作ディスプレイ３０を装置本体１２から取り外した際の置き忘れや紛失の対策になる。
【００７６】
なお、操作ディスプレイ３０はカードリーダーライター３８を備えるので、カードリーダーライター３８にメモリーカード３８Ｍを挿着すれば、操作ディスプレイ３０にデータを保存させることができる。また、操作ディスプレイ３０は、メモリー４４を備えるので、操作ディスプレイ３０にデータを保存させることができる。これらの場合、複合機１１の装置本体１２に操作ディスプレイ３０を接続後、操作ディスプレイ３０上でも印刷を指示する操作が可能となる。このため、複合機１１の装置本体１２にカードリーダーを設けない構成も可能となる。また、操作ディスプレイ３０のバッテリー３７は、操作ディスプレイ３０が装置本体１２に装着されているとき、装置本体１２から給電端子２４を介して充電される他、ＵＳＢコネクター等の接続端子３１Ａに通信ケーブル７０を介して情報端末１００に接続されることで情報端末１００からの給電による充電も可能である。
【００７７】
以上詳述した実施形態によれば、以下に示す効果を得ることができる。
（１）操作装置の一例としての操作ディスプレイ３０は、印刷装置の一例としての複合機１１の一部を構成し複合機１１の装置本体１２に着脱可能に構成される。操作ディスプレイ３０は、ユーザーから操作を受ける表示部１４と、情報端末１００と接続可能な第１通信部の一例である通信Ｉ／Ｆ３１とを備える。通信Ｉ／Ｆ３１は、情報端末１００に接続された場合に、ユーザーによる情報端末１００に対する操作であって複合機１１に設定または指示を与えるための当該操作を可能にするとともに情報端末１００から設定または指示を受信する。さらに操作ディスプレイ３０は、操作ディスプレイ３０が複合機１１に装着されておらず、且つ通信Ｉ／Ｆ３１を介して操作ディスプレイ３０と情報端末１００とが接続されている場合、通信Ｉ／Ｆ３１が情報端末１００から受信した設定または指示を複合機１１に転送する第２通信部の一例としての無線通信部３２を備える。このため、着脱可能且つ複合機１１と無線通信可能な操作ディスプレイ３０と情報端末１００とを接続可能とし、情報端末１００上で複合機１１の操作が可能になる。よって、ユーザーが操作ディスプレイ３０を用いて行う複合機１１に対する設定または指示を与える操作の操作性を高めることができる。
【００７８】
（２）情報端末１００の表示部１０２に複合機１１に対する設定または指示を与えるための設定画面Ｇ２を表示させる第２制御部５２を更に備えている。よって、ユーザーは情報端末１００の表示部１０２に表示された設定画面を見ながら、情報端末１００に対して複合機１１に設定または指示を与えるための操作を行うことができる。よって、ユーザーは複合機１１に適切な設定または指示を与えることができる。
【００７９】
（３）情報端末１００の表示部１０２における設定画面Ｇ２の表示サイズは、操作ディスプレイ３０の表示部１４に表示される設定画面Ｇ１よりも大きい。よって、ユーザーは情報端末１００の表示部１０２で、操作ディスプレイ３０の表示部１４に表示される設定画面よりも大きな表示サイズで設定画面を見て、設定または指示を与えるための操作を行うことができる。よって、ユーザーは複合機１１により適切な設定または指示を与えることができる。
【００８０】
（４）第２制御部５２は、通信Ｉ／Ｆ３１を介して情報端末１００にプログラムの一例としての第１プログラムＰＲ１をインストールさせて情報端末１００内に当該第１プログラムＰＲ１に基づく表示制御部１２０を生成し、表示制御部１２０に対して情報端末１００の表示部１０２に設定画面Ｇ２を表示させる表示制御を行う。よって、第２制御部５２から通信Ｉ／Ｆ３１を介して情報端末１００に第１プログラムＰＲ１がインストールされ、情報端末１００内に表示制御部１２０が生成される。第２制御部５２は表示制御部１２０に対して情報端末１００の表示部１０２に設定画面Ｇ２を表示させる表示制御を行う。ユーザーは、情報端末１００に印刷ドライバーをインストールしなくても、情報端末１００の表示部１０２に設定画面Ｇ２を表示させることができる。
【００８１】
（５）第２制御部５２は、情報端末１００に対する設定または指示を与えるための操作に応じて表示制御部１２０に対して設定画面Ｇ２の表示内容を変更させる表示制御を行う。よって、ユーザーによる情報端末１００に対する設定または指示を与える操作に応じて情報端末１００の表示部１０２に表示された設定画面Ｇ２の表示内容が変更される。よって、ユーザーは情報端末１００の表示部１０２に表示された設定画面Ｇ２を見て、設定または指示の操作が適切に行われたかどうかを設定画面Ｇ２の表示内容から確認できる。
【００８２】
（６）第２制御部５２は、情報端末１００の表示部１０２に表示された設定画面で行われた設定または指示を情報端末１００から通信Ｉ／Ｆ３１を介して受信し、無線通信部３２を介してその設定または指示を複合機１１へ転送する。よって、ユーザーが情報端末１００を操作して行った設定または指示を複合機１１に与え、複合機１１に印刷等の所定の処理を行わせることができる。
【００８３】
（７）表示制御部１２０は、ユーザーによる情報端末１００に対する操作で指定された画像データを取得する。第２制御部５２は、情報端末１００の表示部１０２に表示された設定画面Ｇ２で行われた設定または指示を画像データと共に情報端末１００から通信Ｉ／Ｆ３１を介して受信し、無線通信部３２を介して複合機１１へ転送し、複合機１１に画像データに基づく画像を印刷させる。よって、ユーザーは情報端末１００を操作して指定した画像を複合機１１に印刷させることができる。
【００８４】
（８）通信Ｉ／Ｆ３１は接続端子３１Ａを含み、情報端末１００と接続端子３１Ａとは通信ケーブル７０を介して接続可能である。よって、操作ディスプレイ３０を情報端末１００に対して通信ケーブル７０を介して接続できるので、操作ディスプレイ３０を情報端末１００に接続した際に、例えばプラグアンドプレイの機能で操作ディスプレイ３０が情報端末１００に認識され自動または半自動でインストール等の所定の処理が進められる。よって、操作ディスプレイ３０を情報端末１００に接続した際にユーザーが面倒な操作を強いられることがない。
【００８５】
（９）操作ディスプレイ３０は、第１通信部の一例を構成する無線通信部４２を備え、情報端末１００と無線通信により接続可能である。よって、操作ディスプレイ３０の接続端子３１Ａと接続可能な接続端子を備えない情報端末１００に対しても、操作ディスプレイ３０は第１通信部の一例としての無線通信部４２を介して無線通信が可能なので、接続端子３１Ａを接続できない情報端末１００を用いて複合機１１に対する設定または指示を与える操作を行うことができる。
【００８６】
（１０）印刷装置の一例としての複合機１１は、操作装置の一例としての操作ディスプレイ３０と、操作ディスプレイ３０を着脱可能な被装着部１３Ｂを有する装置本体１２とを備える。よって、操作ディスプレイ３０を装置本体１２の被装着部１３Ｂから外して情報端末１００に接続することにより、上記（１）〜（９）の効果を同様に得ることができる。
【００８７】
上記実施形態は、以下に示す変更例のように変更してもよい。上記実施形態に含まれる構成と、下記変更例に含まれる構成とを任意に組み合わせてもよいし、下記変更例に含まれる構成同士を任意に組み合わせてもよい。
【００８８】
・操作ディスプレイ３０の表示内容と同様の設定画面Ｇ２を情報端末１００の表示部１０２に表示させたが、情報端末１００に仮に印刷ドライバーをインストールした場合に表示される印刷ドライバーに基づく設定画面、もしくはそれに近い表示内容の設定画面を表示部１０２に表示させてもよい。表示制御部１２０は、例えば図１６に示す設定画面Ｇ３を表示部１０２に表示させてもよい。設定画面Ｇ３には、用紙種類、印刷品質、カラー、給紙方法および用紙サイズに関する選択肢を選択可能なプルダウンメニュー１７１〜１７５、色補正のラジオボタン１７６、色別のインク残量を視覚的に示すスケール部１７７、印刷プレビューのチェックボックス１７８およびＯＫボタン１７９が設けられている。パーソナルコンピューター等の情報端末１００から印刷等する場合に印刷ドライバーが表示する設定画面に慣れたユーザーにとって、図１６に示す設定画面Ｇ３は、１画面当たりの選択項目数が多く画面のスクロールや切替えが少なく済むうえ、マウス１０５を用いて設定操作がし易い。このように操作ディスプレイ３０の表示内容と異なる表示内容を情報端末１００の表示部１０２に表示させてもよい。
【００８９】
・操作ディスプレイ３０を情報端末１００に接続した際に、表示部１０２に第１プログラムＰＲ１のインストールを許可するか否かをユーザーに問い合わせる画面（図示略）を表示し、ユーザーが入力装置１０３を操作してインストールを許可した場合に限り情報端末１００が第１プログラムＰＲ１をインストールする構成でもよい。この構成でも、ユーザーが面倒な操作を強いられることがない。
【００９０】
・操作ディスプレイ３０の第２制御部５２が通信Ｉ／Ｆ３１，１０６を介した通信により情報端末１００内の表示制御回路１１２をリモートで表示制御し、情報端末１００の表示部１０２に設定画面Ｇ２，Ｇ３等を表示させる構成でもよい。この構成でも、情報端末１００の表示部１０２に設定画面Ｇ２，Ｇ３を表示させ、ユーザーが入力装置１０３を操作して複合機１１に対する設定および指示を行うことができる。
【００９１】
・前記実施形態において、操作ディスプレイ３０を情報端末１００に接続した際にユーザーが操作ディスプレイ３０の表示部１４の画面をタッチして入力操作できる機能を、情報端末１００の入力装置１０３を操作する機能に替えるか追加してもよい。すなわち、図７では、操作ディスプレイ３０が情報端末１００に接続されているとき、第２制御部５２は、表示制御回路４３を介した表示部１４の表示制御も行う。第２制御部５２は、表示制御回路４３を介して表示部１４にも設定画面Ｇ１を表示させ、ユーザーが設定画面Ｇ１に対して操作を行うと、その操作信号に基づいて情報端末１００内の表示制御部１２０に設定画面Ｇ２の表示内容を変更させる。この構成によれば、ユーザーは操作ディスプレイ３０の表示部１４をタッチした操作の内容を、情報端末１００の大きな設定画面Ｇ２で確認できるため、設定画面Ｇ１での設定および指示の操作を適切に行うことができる。また、ユーザーは、設定画面Ｇ２で設定および指示の操作をする際に入力装置１０３のどのキーを操作するのか迷わなくて済む。また、ネットワーク設定済みであれば、操作ディスプレイ３０自体が情報端末１００との無線通信部４２，１０７を介した無線通信を確立するため、ユーザーにとって都合の良い任意の地点からの操作が可能になる。
【００９２】
・操作ディスプレイ３０が接続された情報端末１００上で行う操作は、設定および指示に限らず、設定または指示でもよい。
・入力装置１０３は、情報端末１００のキーボードおよびマウスに限らず、情報端末１００に接続されたマウス以外のポインティングデバイスでもよい。この種のポインティングデバイスとして例えばタッチパッド、タッチパネル、スタイラスペン等が挙げられる。また、情報端末１００の入力装置は、表示部１０２をタッチパネルとしたものでもよい。
【００９３】
・操作ディスプレイ３０が装置本体１２の被装着部１３Ｂに装着されているときのバッテリー３７の充電は、接触式に限らず、非接触式としてもよい。
・印刷装置は、複合機１１に限定されず、スキャナー機能およびコピー機能を備えず主に印刷機能のみを備えるプリンターでもよい。また、印刷装置は、樹脂液等の液体を吐出して３次元造形物を製造する３次元用インクジェットプリンターでもよい。さらに印刷装置の印刷方式は、インクジェット方式に限らず、ワイヤインパクト方式や電子写真方式でもよい。
【００９４】
・印刷装置以外の電気機器に適用してもよい。例えば、電気機器の一部を構成し装置本体に着脱可能な操作装置の一例としての操作ディスプレイを備えた電気機器であればよい。この種の電気機器としては、冷蔵庫、空調機、洗濯機、音響機器、掃除機、調理機などの家電製品が挙げられる。
【符号の説明】
【００９５】
１０…印刷システム、１１…印刷装置の一例としての複合機、１２…装置本体、１３…操作パネル、１３Ａ…基部、１３Ｂ…被装着部、１４…表示部、２０…印刷ヘッド、２２…コントローラー、２６…無線通信部（複合機側）、２７…メモリー、２８…スキャンエンジン、２９…印刷エンジン、３０…操作装置の一例としての操作ディスプレイ、３１…第１通信部の一例としての通信インターフェイス（操作ディスプレイ側）、３１Ａ…接続端子、３２…第２通信部の一例としての無線通信部（操作ディスプレイ側）、３３…表示灯、３４…スピーカー、３７…バッテリー、３８…カードリーダーライター、３８Ｍ…メモリーカード、４１…ＣＰＵ、４２…第１通信部の一例としての無線通信部、４３…表示制御回路、４４…メモリー、５１…第１制御部、５２…制御部の一例としての第２制御部、５３…ホスト制御部、５４…アクセス権制御部、７０…通信ケーブル、１００…情報端末、１０２…表示部、１０３…入力装置、１０４…キーボード、１０５…マウス、１０６…通信インターフェイス（情報端末側）、１０７…無線通信部（情報端末側）、１１１…ＣＰＵ、１１２…表示制御回路、１１３…記憶部、１２０…表示制御部、１４０…印刷プレビュー画面、１５０…画像加工用画面、１６０…操作画面の一例としての設定画面、ＰＲ０…制御プログラム、ＰＲ１…プログラムの一例としての第１プログラム、ＰＲ２…第２プログラム、ＰＲ３…第３プログラム、Ｇ１…設定画面、Ｇ２…操作画面の一例としての設定画面、Ｇ３…操作画面の一例としての設定画面、ＰＧ…操作画面の一例としての印刷設定画面、ＣＧ…操作画面の一例としてのコピー設定画面、ＳＧ…保存用画面、ＩＧ…画像一覧画面。
【図１】
2019116067.tif 000003
【図２】
2019116067.tif 000004
【図３】
2019116067.tif 000005
【図４】
2019116067.tif 000006
【図５】
2019116067.tif 000007
【図６】
2019116067.tif 000008
【図７】
2019116067.tif 000009
【図８】
2019116067.tif 000010
【図９】
2019116067.tif 000011
【図１０】
2019116067.tif 000012
【図１１】
2019116067.tif 000013
【図１２】
2019116067.tif 000014
【図１３】
2019116067.tif 000015
【図１４】
2019116067.tif 000016
【図１５】
2019116067.tif 000017
【図１６】
2019116067.tif 000018